(57)【要約】      （修正有）【課題】画像伝送装置が伝送する画像データを圧縮して伝送し、現在規定されている画像サイズより大きなサイズの画像データを伝送する場合、伝送路で発生したエラーを補正可能とする。【解決手段】画像データを圧縮し伝送する画像伝送装置において、画像データを圧縮する圧縮処理部と、圧縮された画像データに対しエラー訂正符号を演算するエラー訂正符号生成部と、所定時間当たりのデータ伝送量が第１のデータ伝送量である第１の期間と、所定時間当たりのデータ伝送量が第１のデータ伝送量より少ない第２の期間とを切替て出力する出力部と、圧縮処理部と、エラー訂正符号生成部と、出力部を制御する制御部とを備え、制御部は、圧縮処理部で圧縮された画像データを第１の期間に出力部から出力し、圧縮処理部で圧縮された画像データに対し、エラー訂正符号生成部にて演算したエラー訂正符号を第２の期間に出力部から出力する。【選択図】図１
2012231351.tif 000002
【特許請求の範囲】
【請求項１】
画像データを圧縮し伝送する画像伝送装置において、
画像データを圧縮する圧縮処理部と、
圧縮された画像データに対しエラー訂正符号を演算するエラー訂正符号生成部と、
所定時間当たりのデータ伝送量が第１のデータ伝送量である第１の期間と、
所定時間当たりのデータ伝送量が第１のデータ伝送量より少ない第２の期間とを切替て出力する出力部と、
前記圧縮処理部と、前記エラー訂正符号生成部と、前記出力部を制御する制御部とを備え、
前記制御部は、前記圧縮処理部で圧縮された画像データを前記第１の期間に前記出力部から出力し、
前記圧縮処理部で前記圧縮された画像データに対し、前記エラー訂正符号生成部にて演算したエラー訂正符号を前記第２の期間に前記出力部から出力することを特徴とする画像伝送装置。
【請求項２】
請求項１に記載の画像伝送装置において、
前記エラー訂正符号生成部にて演算したエラー訂正符号を出力する前記第２の期間は、水平ブランキング期間であることを特徴とした画像伝送装置。
【請求項３】
請求項１に記載の画像伝送装置において、
圧縮部は、画像データの水平および垂直方向の相関性を検出する検出部と、水平方向に圧縮処理を行う水平圧縮部と、垂直方向に圧縮処理を行う垂直圧縮部と、
前記水平圧縮部の出力と前記垂直圧縮部の出力とのどちらか一方と圧縮方式を示す符号を出力する選択部とを備え、
前記検出部の出力に従い選択部の出力を制御することを特徴とした画像伝送装置。
【請求項４】
画像データを圧縮し伝送する画像伝送方法において、
画像データを圧縮し、圧縮された画像データのエラー訂正符号を演算し、
所定時間当たりのデータ伝送量が第１のデータ伝送量である第１の期間と、
所定時間当たりのデータ伝送量が第１のデータ伝送量より少ない第２の期間とを切替て出力し、
前記圧縮された画像データを前記第１の期間に出力し、
前記圧縮された画像データに対するエラー訂正符号を前記第２の期間に出力することを特徴とする画像伝送方法。
【請求項５】
請求項４に記載の画像伝送方法において、
前記エラー訂正符号を出力する前記第２の期間は、水平ブランキング期間であることを特徴とした画像伝送方法。
【請求項６】
請求項４に記載の画像伝送方法において、
前記第２の期間のデータに対し第１のエラー訂正符号を演算し、
画像データを圧縮し、圧縮された画像データに対し第２のエラー訂正符号を演算し、
所定時間当たりのデータ伝送量が第１のデータ伝送量である第１の期間と、
所定時間当たりのデータ伝送量が第１のデータ伝送量より少ない第２の期間とを切替て出力し、
前記圧縮された画像データを前記第１の期間に出力し、
前記第１および第２のエラー訂正符号を前記第２の期間に出力することを特徴とする画像伝送方法。
【請求項７】
請求項４に記載の画像伝送方法において、
圧縮処理は、２つ以上の圧縮方式を有し、第１の圧縮処理は、水平方向に圧縮処理を行う水平圧縮処理であり、第２の圧縮処理は、垂直方向に圧縮処理を行う垂直圧縮処理であり、圧縮する画像データが、水平および垂直のどちらの方向に相関性が高い画像データであるかを検出し、前記相関性検出の出力により水平方向の圧縮処理と、垂直方向の圧縮処理のどちらか一方を選択するとともにどの圧縮方式で圧縮されたかを示すための信号を水平ブランキング期間に出力することを特徴とした画像伝送方法。
【発明の詳細な説明】
【技術分野】
【０００１】
技術分野は、映像情報の送受信に関する。
【背景技術】
【０００２】
近年、デジタル画像処理で扱う画素数は、放送のＨＤ(High Definition：１９２０×１０８０画素)化、デジタルビデオカメラのイメージセンサの高画素化に伴い、年々増加している。
【０００３】
これらの画像データを機器間で伝送する方式について、ＨＤＭＩ(High-Definition Multimedia Interface  （登録商標  第２６６４０３２号）)規格やＶＥＳＡ(Video  Electronics Standards Association)により策定されたDisplayPort（商標）規格などがある。
【０００４】
前記のＨＤＭＩのデータ伝送方式において、特許文献１には、「非圧縮映像信号またはこの非圧縮映像信号に対して受信装置が対応可能な圧縮方式で圧縮処理を施して得られた圧縮映像信号を選択的に送信するものであり、伝送路の伝送ビットレート内で、所望のビットレートの映像信号を良好に送信できる」（特許文献１［００４８］参照）こと、また圧縮方式について、「データ圧縮部１２１-1〜１２１-nは、それぞれ、コーデック１１７から出力された非圧縮の映像信号を所定の圧縮比をもって圧縮処理し、圧縮された映像信号を出力する。データ圧縮部１２１-1〜１２１-nは、映像信号圧縮部を構成している。データ圧縮部１２１-1〜１２１-nは、それぞれ、互いに異なる圧縮方式でデータ圧縮処理を行う。例えば、圧縮方式としては、「ＲＬＥ（Run Length Encoding）」、「Ｗａｖｅｌｅｔ」、「ＳＢＭ（SuperBit Mapping（登録商標  第３２８４６４０号））」、「ＬＬＶＣ（Low Latency Video Codec）」、「ＺＩＰ」等が考えられる」（特許文献１［００７７］参照）ことが記載されている。
【０００５】
また、HDMIにおいて、画像データは、ＴＭＤＳ(Transition Minimized Differential Signaling（登録商標  第４７５５０３７号）)方式のデータ伝送フォーマットが採用されており、その一例として特許文献２が示されている。
【先行技術文献】
【特許文献】
【０００６】
【特許文献１】特開２００９−２１３１１０号公報
【特許文献２】特願２００３−５５９１３６号公報
【発明の概要】
【発明が解決しようとする課題】
【０００７】
しかし、いずれの引用文献においても、より大きなサイズの画像（「映像」とも言う。以下同じ。）データの伝送については考慮されていない。
【課題を解決するための手段】
【０００８】
上記課題を解決するために、例えば特許請求の範囲に記載の構成を採用する。
本願は上記課題を解決する手段を複数含んでいるが、その一例を挙げるならば、画像データを圧縮し伝送する画像伝送装置において、画像データを圧縮する圧縮処理部と、圧縮された画像データに対しエラー訂正符号を演算するエラー訂正符号生成部と、所定時間当たりのデータ伝送量が第１のデータ伝送量である第１の期間と、所定時間当たりのデータ伝送量が第１のデータ伝送量より少ない第２の期間とを切替て出力する出力部と、前記圧縮処理部と、前記エラー訂正符号生成部と、前記出力部を制御する制御部とを備え、前記制御部は、前記圧縮処理部で圧縮された画像データを前記第１の期間に前記出力部から出力し、前記圧縮処理部で前記圧縮された画像データに対し、前記エラー訂正符号生成部にて演算したエラー訂正符号を前記第２の期間に前記出力部から出力することを特徴とする。
【発明の効果】
【０００９】
上記手段によれば、より大きなサイズの画像データの伝送が可能となる。
【図面の簡単な説明】
【００１０】
【図１】画像伝送装置および画像受信装置の一例。
【図２】圧縮処理部の一例。
【図３】圧縮モデル符号の一例。
【図４】エラー訂正符号生成部の一例。
【図５】データ伝送部の一例。
【図６】画像データの有効／ブランキング期間の一例。
【図７】データ受信処理部の一例。
【図８】伸張処理部の一例。
【図９】圧縮する画像データの単位の一例。
【図１０】伸張処理の概念を示すフロー図の一例。
【発明を実施するための形態】
【００１１】
従来、画像データを伝送する伝送方式において、画像伝送装置が伝送する画像データを圧縮して伝送することにより、現在規定している伝送路に、現在規定されている画像サイズより大きなサイズの画像データを伝送する場合、伝送路でのエラー発生については考慮されていなかった。そのため、伝送路で１ビット分のエラーが発生した場合であっても、エラーの影響は圧縮の単位に含まれる複数の画素に及ぶため、多くの画素が誤った表示をしてしまうおそれがある。以下、この課題を解決する実施例を、図面を用いて説明する。
【実施例１】
【００１２】
以下本実施例による画像伝送装置および画像受信装置の実施形態について説明する。
【００１３】
図１は、本実施例の画像伝送システムを示すブロック図であり、画像送信装置１００と画像受信装置２００をケーブル３００で接続した構成である。
【００１４】
画像送信装置１００は、画像データを圧縮し伝送する画像送信装置であり、デジタル放送を受信し視聴できるようにデコードした画像データや、カメラなどで撮影した画像データをＨＤＭＩケーブルなどにより、他の機器に画像データを出力する画像記録再生機器である。画像送信装置１００の一例として、レコーダや、レコーダ機能を内蔵したデジタルＴＶや、レコーダ機能を内蔵したパソコンや、カムコーダや、カメラ機能を搭載した携帯電話などがある。
【００１５】
画像受信装置２００は、ＨＤＭＩケーブル等を使用して、画像データを入力しモニタに画像を出力する表示機器である。画像受信装置２００の一例として、デジタルＴＶや、ディスプレイ、プロジェクタなどがある。
【００１６】
ケーブル３００は、画像送信装置１００と画像受信装置２００の機器間で画像データ等のデータ通信を行うデータ伝送路である。ケーブル３００の一例として、ＨＤＭＩ規格や、DisplayPort規格に対応した有線ケーブルもしくは、無線方式のデータ通信を行うデータ伝送路などがある。
【００１７】
まず、画像送信装置１００の構成について説明する。
入力部１０１、１０２、１０３は、画像データを画像送信装置１００に入力するための入力部である。入力部１０１に入力される画像データの一例としては、放送局または放送用衛星などの中継局からの電波として入力されるデジタル放送がある。入力部１０１には、この放送局または放送用衛星などの中継局からの電波が入力される。
【００１８】
入力部１０２に入力される画像データの一例としては、インターネットのブロードバンド接続を利用して、ネットワーク経由で配信されてくるデジタル放送や、情報コンテンツなどがある。
【００１９】
入力部１０３に入力される画像データの一例としては、入力部１０３に接続された外部の記録メディアに記録されているデジタル放送もしくはデジタルコンテンツがある。入力部１０３に接続された外部の記録メディア、もしくは画像送信装置１００内に内蔵された記録メディア１０８の一例としては、光ディスク、磁気ディスク、半導体メモリなどがある。
【００２０】
チューナー受信処理部１０５は、入力された電波をビットストリームに変換する受信処理部であり、ここでＲＦ帯域（Radio Frequency）の電波はＩＦ帯域 (Intermediate Frequency) に周波数変換され、受信チャネルに依存しない一定の帯域の信号として、復調されたビットストリームに伝送のために施された変調操作を復調する。
【００２１】
ビットストリームの一例としては、ＭＰＥＧ２トランスポートストリーム(以降ＭＰＥＧ２−ＴＳとする)や、ＭＰＥＧ２−ＴＳに準じたフォーマットのビットストリーム等がある。以降のビットストリームは、ＭＰＥＧ２−ＴＳを代表として説明を行う。
【００２２】
前記チューナー受信処理部１０５は、さらに伝送途中で発生した符合の誤りを検出し訂正し、誤り訂正されたＭＰＥＧ２−ＴＳにつきスクランブルの解除を行った後、視聴もしくは記録を行うプログラムが多重化されている１トランスポンダ周波数を選択し、この選択した１トランスポンダ内のビットストリームを１プログラムのオーディオとビデオのパケットに分離化する。
【００２３】
前記チューナー受信処理部１０５からのＭＰＥＧ２−ＴＳは、ストリーム制御部１１１に供給される。ストリーム制御部１１１は、前記チューナー受信処理部１０５においてパケットを受信した時の間隔を保時する為に、受信したパケット内から時刻管理情報であるＰＴＳ(Presentation Time Stamp)と、ＭＰＥＧシステムの基準復号器内部のＳＴＣ(System Time Clock)を検出し、検出結果により補正したタイミングでタイムスタンプを付加する。前記タイムスタンプを付加したパケットをデコーダ１１２もしくは、記録メディア制御部１０７のどちらか一方、または双方に供給する。
【００２４】
デコーダ１１２のデータパスは、画像データを視聴する時の処理に該当し、記録メディア制御部１０７のデータパスは、画像データを記録メディアに記録する時の処理に該当する。前記ストリーム制御部１１１の別の入力としては、入力部１０２からネットワーク受信処理部１０６経由で入力されるＭＰＥＧ２−ＴＳがある。前記のデータパスは、ネットワーク経由で配信されてくるデジタル放送もしくはデジタルコンテンツを取得する入力部である。
【００２５】
さらに前記ストリーム制御部１１１の別の入力としては、入力部１０３に接続された外部の記録メディア、もしくは画像送信装置１００内に内蔵された記録メディア１０８に記録されているデジタル放送もしくはデジタルコンテンツを、記録メディア制御部１０７により読み出したＭＰＥＧ２−ＴＳがある。前記ストリーム制御部１１１は、これらの入力のうち少なくとも1つ以上を選択し、デコーダ１１２に出力する。
【００２６】
デコーダ１１２は、前記ストリーム制御部１１１から入力されたＭＰＥＧ２−ＴＳをデコードし、生成した画像データを表示処理部１１３に出力する。表示処理部１１３は、入力された画像データに対して、例えばＯＳＤ（On Screen Display）の重畳処理や、拡大もしくは縮小処理を施した後、圧縮処理部１１４に出力する。
【００２７】
圧縮処理部１１４は、表示処理部１１３からの画像データに簡易的な圧縮処理を施し、データ伝送部１１５に出力する。
【００２８】
データ伝送部１１５は、画像データをケーブル伝送に適した形式の信号に変換して出力部１１６から出力を行う。ケーブル伝送に適した形式の信号の一例がHDMI規格に記載されている。HDMIにおいて、画像データは、ＴＭＤＳ(Transition Minimized Differential Signaling（登録商標  第４７５５０３７号）)方式のデータ伝送フォーマットが採用されている。
【００２９】
入力部１０４は、画像送信装置１００の動作を制御するための信号を入力するための入力部である。入力部１０４の一例として、リモコンの受信部などがある。入力部１０４からの制御信号は、ユーザーＩＦ１０９に供給される。前記ユーザーＩＦ１０９は、入力部１０４からの信号を制御部１１０に出力する。制御部１１０は、入力部１０４の信号に従い、画像送信装置１００全体を制御する。制御部１１０の一例としては、マイクロプロセッサなどがある。画像送信装置１００からの画像データは、ケーブル３００を介して画像受信装置２００に供給する。
【００３０】
次に画像受信装置２００の構成について説明する。
入力部２０１は、ケーブル伝送に適した形式の信号が入力される。前記入力部２０１に入力された信号は、データ受信処理部２０５に供給される。
【００３１】
データ受信処理部２０５は、ケーブル伝送に適した形式の信号から所定のデジタルデータに変換する処理を施し、伸張処理部２０６に変換したデジタルデータを出力する。
【００３２】
伸張処理部２０６は、前記画像送信装置１００内の圧縮処理部１１４で施した圧縮処理を伸張し、画像データを生成し、表示処理部２０７に出力する。
【００３３】
表示処理部２０７は、入力された画像データに対して表示処理を施す。表示処理の一例としては、ＯＳＤ重畳処理、表示部２０８の解像度に変換するための拡大もしくは縮小処理、フレームレート変換処理などがある。表示処理部２０７の出力は表示部２０８に出力する。
【００３４】
表示部２０８は、入力された画像データを表示方式にあわせた信号に変換し画面に表示する。表示部２０８の一例として、液晶ディスプレイや、プラズマディスプレイや、有機ＥＬ（Ｅｌｅｃｔｒｏ−Ｌｕｍｉｎｅｓｃｅｎｃｅ)ディスプレイなどの表示部がある。
【００３５】
入力部２０２は、画像受信装置２００の動作を制御するための信号を入力するための入力部である。入力部２０２の一例として、リモコンの受信部などがある。入力部２０２からの制御信号は、ユーザーＩＦ２０３に供給される。前記ユーザーＩＦ２０３は、入力部２０２からの信号を制御部２０４に出力する。制御部２０４は、入力部２０２の信号に従い、画像受信装置２００全体を制御する制御部である。
【００３６】
図２は、圧縮処理部１１４の構成の一例を示すブロック図である。
入力部１３０は、圧縮処理部１１４へ画像データを入力するための入力部である。入力された画像データは、相関性検出部１３２、水平圧縮部１３３および垂直圧縮部１３４に供給される。
【００３７】
図９は、入力部１３０に入力される画像データの一例を示す図である。水平方向にｎ画素、垂直方向にｍラインの輝度信号を示す。色差信号は、４４４フォーマットの場合、輝度信号と同じフォーマットとなる。画素数ｎ及びライン数ｍの一例としては、ｎ＝１９２０、ｍ＝１０８０のいわゆるフルＨＤ画像やｎ＝３８４０、ｍ＝２１６０のいわゆる４ｋ２ｋ画像などがある。
【００３８】
ここで、圧縮部１１４で圧縮する画像データの単位を、水平方向ｌ画素と垂直方向ｋ画素とする。５０１および５０２はｌ＝３２、ｋ＝１の例を示し、同じライン内で連続した３２画素のデータで構成する。この画像データの単位を水平圧縮部１３３が圧縮する。
【００３９】
一方、５０３および５０４は、ｌ＝１６、ｋ＝２の例を示し、上下する２ライン間で連続する１６画素のデータで構成する。この画像データの単位を垂直圧縮部１３４が圧縮する。すなわち、垂直方向ｋ画素数が異なるｋ１とｋ２（ｋ１＜ｋ２）の画像データ単位を用意し、水平圧縮部１３３がｋ１の画像データ単位を、垂直圧縮部１３４がｋ２の画像データ単位を圧縮する。
【００４０】
ｋが大きいとラインメモリ量が増えて回路コストが上がり、処理時間が増加して映像表示がと遅延する原因となる。以下の説明ではｋ１＝１、ｋ２＝２としてコストと処理時間を抑える例を用いる。水平圧縮部１３３と垂直圧縮部１３４に加えてさらに異なるｋ３を持つ圧縮部を追加し、３個以上の圧縮部の出力を選択して用い、さらに圧縮効率を上げることもできる
４２２フォーマットの色差信号の場合は、色差信号のＵ成分とＶ成分が1画素ごとに入れ子のデータとなる。例えば４ｋ２ｋにおいてＵ成分とＶ成分を合わせてｎ＝３８４０、ｍ＝２１６０の画像データとして扱ってもよい。一般にＵ成分同士、Ｖ成分同士の相関が高いので、Ｕ成分とＶ成分を分けて、ｎ＝９６０、ｍ＝１０８０として扱うことにより、同一成分のみで圧縮する画像データの単位とすることによって、圧縮効率を高めることができる。
【００４１】
相関性検出部１３２は、画像データの水平方向及び、垂直方向の周波数成分を演算しどちらの成分に相関性が高いかを検出する。相関性の検出は、周波数成分の演算の他、水平および垂直方向に画素間の差分値をとる検出方法などがある。
【００４２】
水平圧縮部１３３は、水平方向の複数の画像データに対して、圧縮を行う圧縮回路により構成される。圧縮方式の一例としては、水平方向にアダマール変換を演算し、その演算結果に対して、符号化した圧縮方式等で構成する。
【００４３】
垂直圧縮部１３４は、垂直方向の複数の画像データに対して、圧縮を行う圧縮回路により構成される。圧縮方式の一例としては、垂直方向に２ライン分、水平方向に１６画素分の画像データを圧縮する画像データの単位として、まず垂直方向に対し差分をとり、次に水平方向に差分をとる。その結果に対して符号化する圧縮方式等で構成する。
【００４４】
水平圧縮部１３３および垂直圧縮部１３４の圧縮率は、元の画像データに対して、例えば圧縮後の画像データを２／３から１／２程度に圧縮可能な圧縮方式であればよい（しかし、本発明はこの圧縮率に限定されない）。
【００４５】
前記水平圧縮部１３３、前記垂直圧縮部１３４の圧縮する画像データの単位は、圧縮処理による遅延量を少なくする画素数で構成する。圧縮する画像データの単位の一例として、３２画素を例にとって説明したが、６４画素や１２８画素などの単位としてもよい。
【００４６】
選択部１３５は、前記相関性検出部１３２の検出結果に従い、前記水平圧縮部１３３もしくは、前記垂直圧縮部１３４の出力を選択し、エラー訂正符号生成部１３６に供給する。選択部１３５は、相関性検出部１３２の検出結果に代えて、水平圧縮部１３３と垂直圧縮部１３４の出力データ量を比べて小さい方を選択してもよい。
【００４７】
エラー訂正符号生成部１３６は、圧縮する画像データの単位ごとにエラー訂正符号を演算し、圧縮された画像データとエラー訂正符号を符号化部１３７に出力する。エラー訂正の方式の一つとして、ＣＲＣ（Cyclic Redundancy Check）方式やパリティチェック方式などがある。
【００４８】
符号化部１３７は、圧縮された画像データを圧縮前の画像データの後述する有効期間４０６に出力し、その後の水平ブランキング期間４０４に圧縮方式を示すフラグと、エラー訂正符号を出力する。また、別の方式としては、１ライン分の圧縮された画像データ、圧縮方式を示すフラグ、エラー訂正符号の全てが、１ライン分の有効期間４０６内に送信できる場合は、有効期間４０６内で伝送してもよい。
【００４９】
出力部１３８は、前記符号化部１３７からの圧縮された画像データ、圧縮方式を示すフラグ、エラー訂正符号が出力される。
【００５０】
入力部１３１は、制御部１１０の制御信号に従い、各ブロックの制御モードなど切り替えを行う。
【００５１】
上記構成は、複雑な演算処理を必要としないため小規模な回路となり、エラー訂正符号の付加機能を低コストで実現できる。
【００５２】
図３は、圧縮モデルの符号例を示す図である。圧縮モデルは、圧縮処理部１１４のもつ圧縮方式を示し、水平圧縮部１３３と垂直圧縮部１３４がある。圧縮モデル符号は、画像データがどちらの圧縮方式で圧縮されたかを示すための信号である。水平圧縮部１３３で圧縮された場合は「０」を示し、垂直圧縮部１３４で圧縮された場合は「１」を示す。
【００５３】
図４は、エラー訂正符号生成部１３６の構成の一例を示すブロック図である。入力部１５０には圧縮された画像データが入力される。圧縮された画像データは、遅延部１５２とエラー訂正符号付加部１５３に入力される。エラー訂正符号付加部１５３は、入力された圧縮された画像データに対して、生成多項式で巡回演算をする。
生成多項式の一例としては、
（数１）G(X)=X16+X12+X5+1
がある。この生成多項式は、入力された画像データ中の各ビットにつき排他的論理和をとり巡回演算する。演算の単位は圧縮する画像データの単位とする。
【００５４】
入力部１５１は、圧縮された画像データが入力されている期間を示す信号が入力され、タイミング生成部１５４に供給される。タイミング生成部１５４は、圧縮された画像データ有効期間をカウントし圧縮する画像データの単位分の演算が処理されたことを示す信号をデータ保持信号としてデータ保持部１５５に出力する。
【００５５】
データ保持部１５５は、デジタルデータと、データ保持信号を入力してもち、データ保持信号が有効になったタイミングで入力されたデジタルデータを保持する。前記データ保持信号は、前記タイミング生成部１５４からの信号であり、前記のデジタルデータは、エラー訂正符号付加部１５３からの演算結果である。
【００５６】
遅延部１５２は、前記エラー訂正符号付加部１５３およびデータ保持部１５５の処理により発生する遅延時間を、入力部１５１から出力部１５６のデータパスに付加するための遅延回路である。遅延部１５２の一例としては、フリップフロップや遅延素子などがある。
【００５７】
遅延部１５２の出力は、出力部１５６から出力される。またデータ保持部１５５の出力は、出力部１５７から出力される。
【００５８】
出力部１５６からの出力は、図６で述べる画像データが送出される有効期間４０６に出力され、出力部１５７からの出力は、同じく図６で述べる画像データが送出されない水平ブランキング期間４０４に出力される。
【００５９】
図５は、データ伝送部１１５の構成の一例を示すブロック図である。
入力部１７０は、圧縮された画像データをシリアライザ１７４に出力する。また入力部１７２は、画像データのクロックが入力され、ＰＬＬ１７３と出力部１７７に出力する。
【００６０】
ＰＬＬ１７３は、入力されたクロックに対して逓倍化もしくは分周したクロックを生成する。逓倍化の一例としては、入力されたクロックの周波数に対して、５倍や１０倍などがある。ＰＬＬ１７３で生成するクロックは、1種類のクロックとしてもよいし、２種類のクロックとしてもよい。1種類のクロックの例としては、入力されたクロックの１０逓倍がある。また２種類のクロックの例としては、データ伝送量を優先した第１のクロック速度と、エラーの発生頻度を下げることを優先した第1のクロック速度より遅い速度の第２のクロック速度のクロックがある。速度の一例としては前記第1のクロック速度を入力クロックの１０逓倍、第２のクロック速度を入力クロックの５逓倍などがある。
【００６１】
ＰＬＬ１７３で生成した逓倍したクロックをシリアライザ１７４に出力する。シリアライザ１７４は、入力された画像データのＲＧＢもしくはＹＵＶの圧縮された画像データを、１０逓倍したクロックで１ｂｉｔのデータ３本に各々シリアル化し、レベル変換部１７５に出力する。
【００６２】
シリアル化の例としては、８ｂｉｔのＲＧＢもしくはＹＵＶの画像データを１０逓倍のクロックで先頭からＭＳＢもしくはＬＳＢの順で出力する。
【００６３】
レベル変換部１７５は、ケーブル伝送に適した形式の信号を出力部１７６経由で出力する。標準化されたケーブル伝送に適した形式の一例としては、ＴＭＤＳ方式の差動レベルの信号形式などがある。この形式において画像のブランキング期間では、画像データを送信する必要がないため、シリアライザ１７４でシリアル化するデータを１０逓倍のクロック中の４ｂｉｔ分のみ使用し、残りの６ｂｉｔを使用しないことにより、
伝送エラーに対して強度を増し、画像データ以外のデータを伝送することができる。
【００６４】
また、２種類のクロックを使用することにより、ＰＬＬ１７３で生成するクロックについて画像データを送信するクロックの１／２以下に落とすことにより、同じ効果を得ることができる。
【００６５】
図６は、1フレーム期間の画像データが重畳される有効領域と画像データが重畳されないブランキング期間を示す図である。
【００６６】
４００で示す領域が垂直期間を示し、垂直期間４００は、垂直ブランキング期間４０１と垂直有効期間４０２から構成される。垂直ブランキング期間には、垂直ブランキング信号としてＶＳＹＮＣ信号がある。ＶＳＹＮＣ信号は、垂直ブランキング期間４０１の先頭から規定されたライン数の間を１とし、その他の垂直ブランキング期間と垂直有効期間４０２の間は０とした１ｂｉｔの信号である。規定されたライン数の一例としては、４ラインなどがある。
【００６７】
４０３で示す領域が水平期間を示し、水平期間４０３は、水平ブランキング期間４０４と水平有効期間４０５から構成される。ＨＳＹＮＣ信号は、水平ブランキング期間４０４の先頭から規定された画素数の間を１とし、その他の水平ブランキング期間と水平有効期間４０５の間は０とした１ｂｉｔの信号である。規定された画素数の一例としては、４０画素がある。
【００６８】
有効期間４０６は、垂直有効期間４０２と水平有効期間４０５の期間に囲まれた領域を示し、この期間に画像データが割り当てられる。また、ブランキング期間４０７は、垂直ブランキング期間４０１と水平ブランキング期間４０４の期間に囲まれた領域である。
【００６９】
本実施例においては、上記構成において、有効期間４０６に圧縮した画像データを送信し、そのラインの次の水平ブランキング期間４０４に前のラインのエラー訂正符号を送信する。ブランキング期間４０７には、音声データやその他の付属データをパケット化したデータを伝送するため、有効期間４０６のように画像データを送信する必要がない。
【００７０】
音声データのデータ伝送量の一例としては、リニアＰＣＭ音声（最大１９２ｋＨｚ／２４ｂｉｔ）があり、データ伝送量は４．６Ｍｂｐｓ程度となる。それに対して画像データのデータ伝送量の一例としては、表示サイズが１９２０画素、垂直１０８０ライン、信号のｂｉｔ精度が８ｂｉｔ、信号フォーマットが輝度、色差の４２２フォーマットがあり、データ伝送量は２Ｇｂｐｓとなる。本実施例では、この画像データを、例えば１／２の１Ｇｂｐｓ，もしくは２／３の１．３３Ｇｂｐｓのデータに圧縮する。
【００７１】
音声データと画像データの所定時間あたりのデータ伝送量を比較すると音声データの伝送量は少ないため、音声データをパケット化して、水平ブランキング期間で分割して伝送できるデータ量に収まる。
【００７２】
また、シリアライザ１７４に入力される１０逓倍されたクロックに対して、１０ｂｉｔ全てをデータとして使用せず、伝送するデータを４ｂｉｔ分制限ができる。
【００７３】
この音声データを図６の有効期間４０６に対して、水平ブランキング期間４０７で信頼性のあるパケットを送る方法は、例えば特表２００５−５１４８７３号公報に開示されている。
【００７４】
この構成で、ブランキング期間のパケットのデータに対しては誤り訂正符号が入っているため、伝送路で発生したエラーに対して補正ができエラー耐性が強くなる。また、ブランキング期間のパケットのデータ伝送用のデータは、物理的に異なる２つのチャンネルに伝送する構成とし、一定時間ごとに伝送するチャンネルを切り替えているため、片側のチャンネルでバースト的に発生したエラーに対して、他方のチャンネルが影響されないため、データエラーの補正を行うことができる。エラーの訂正率は、水平有効期間が１０−９に対して、水平ブランキング期間は１０−１４の改善効果がある。
【００７５】
上記ブランキング期間のパケットの一つとして、エラー訂正符号をパケット化する。パケット数の例として、水平期間の画素数が２２００、水平有効期間の画素数が１９２０であった場合について説明する。
【００７６】
圧縮する画像のサイズを６４画素（輝度３２画素、色差３２画素）とすると１ライン当たりのエラー訂正符号（２Ｂｙｔｅ）のサイズは１２０Ｂｙｔｅ必要となる。
【００７７】
１パケット当たり２８Ｂｙｔｅ伝送できる容量があるため、５パケットあれば伝送できるサイズとなる。水平ブランキング期間は２８０画素あるため、８パケットは重畳可能である。この構成により、音声パケット（１パケット）と別に更にエラー訂正符号を水平ブランキング期間に送信することが可能となる。
【００７８】
上記構成により、圧縮した画像データに対し、データ伝送によるエラー耐性が強くなり、エラー検出及びエラー訂正を行うことができる。
【００７９】
また、図示していないが、画像受信装置２００には画像受信装置２００の性能を示すＥＤＩＤ（Enhanced Extended Display Identification Data）を格納したＲＯＭが搭載されている。このＲＯＭの中に画像受信装置２００が圧縮伸張に対応しているか否かを判別する情報を付加してもよい。これにより、画像伝送装置１００は、画像受信装置２００のＥＤＩＤを格納したＲＯＭから、圧縮伸張に対応しているか否かを判別する情報を読出し、対応している装置であれば、圧縮した画像データを伝送し、非対応の装置であれば、圧縮せず従来のサイズで画像を送信することにより、圧縮処理に非対応の画像受信装置とも互換性を保つことができる。
【００８０】
また、画像受信装置が圧縮に非対応であり、従来の画像サイズであることを表示部２０８に表示することにより、ユーザーに通知することがきる。
【００８１】
また、画像伝送装置１００を携帯機器として使用する場合に、バッテリー駆動の装置となるため、画像伝送装置１００の消費電力が連続使用時間に影響する。この場合、画像データを圧縮して伝送しデータ伝送量を下げ、消費電力を低減できる。この効果は、画像伝送装置１００の動作モードとして、例えば「省電力モード」などの機能を付加し、外部から電源が供給されている場合は、非圧縮の画像データで伝送し、バッテリーで駆動されている場合は、画像データを圧縮して伝送することにより、連続使用時間を長く設定することができる。
【００８２】
図７は、データ受信処理部２０５の構成の一例を示すブロック図である。
入力部２２０は、画像送信装置１００のレベル変換部１７５にて変換された信号をレベル変換部２２２に出力する。レベル変換部２２２は、画像送信装置１００でレベル変換された信号をデジタル信号に変換しデシリアライザ２２３に出力する。レベル変換の一例としては、差動信号をシングルエンド信号に変換する。
【００８３】
また入力部２２１は、画像送信装置１００から出力されたクロックを入力しＰＬＬ２２４に出力する。ＰＬＬ２２４は、有効期間４０６では入力されたクロックの１０倍のクロックを生成し、ブランキング期間４０４でも同様に、入力されたクロックの１０倍のクロックを生成し、デシリアライザ２２３に出力する。またＰＬＬ２２４は、画像受信装置２００内で使用する画素クロックを出力部２２６から出力する。
【００８４】
デシリアライザ２２３は、シリアル化されたデータをＰＬＬ２２４からのクロックでパラレル化し、出力部２２５から出力する。デシリアライザ２２３は、有効期間では、１０倍のクロックのデータを全てパラレル化し、ブランキング期間では、１０倍のクロックのうち４ｂｉｔのみ使用する。
【００８５】
図８は、伸張処理部２０６の構成の一例を示すブロック図である。また、図１０は、伸張処理部２０６の処理概念を示すフロー図である。
入力部２５０は、伸張処理部２０６のデータ入力部である。入力部２５０に入力されるデータには、画像データの同期信号を示すＨＳＹＮＣ（図１０（ａ））およびＶＳＹＮＣと、有効期間４０６に圧縮された画像データ、水平ブランキング期間４０４に前のラインのエラー訂正符号および圧縮モデル符号（図１０（ｂ））がある。
【００８６】
ＨＳＹＮＣ、ＶＳＹＮＣは、タイミング生成部２５１に供給される。タイミング生成部２５１は、入力されたＨＳＹＮＣ、ＶＳＹＮＣによりカウンタを制御し、垂直ブランキング期間４０１、垂直有効期間４０２、水平ブランキング期間４０４、水平有効期間４０５、有効期間４０６などのタイミングや、選択部２５２、エラー検出訂正部２５５、選択部２６１の制御に必要なタイミングを生成し出力する。
【００８７】
圧縮された画像データと、ラインのエラー訂正符号および圧縮モデル符号は、選択部２５２に供給される。選択部２５２は、入力されたデータをタイミング生成部２５１から切り替えタイミングで２つの信号に分離する選択部である。選択部２５２は、タイミング生成部２５１からの信号が水平ブランキング期間４０４である場合は、符号検出部２５３に入力データを出力し、タイミング生成部２５１からの信号が有効期間４０６を示す場合は、入力データをラインメモリ２５４に出力する。この処理により、エラー訂正符号および圧縮モデル符号５１２，５１４は、符号検出部２５３に供給され、圧縮された画像データ５１１，５１３，５１５は、ラインメモリ２５４に供給される。
【００８８】
符号検出部２５３は、入力データからエラー訂正符号と圧縮モデル符号を検出する符号検出部である。エラー訂正符号と圧縮モデル符号は、圧縮された画像データの単位ごとに存在し、それぞれをエラー訂正部２５５に出力する（図１０（ｃ））。また、圧縮モデル符号は、選択部２５８にも出力する。
ラインメモリ２５４は、圧縮された画像データを1ライン分遅延させ、出力するためのラインメモリである。ラインメモリ２５４の出力は、エラー訂正部２５５に出力する（図１０（ｄ））。
【００８９】
エラー訂正部２５５は、ラインメモリ２５４から入力される画像データを、圧縮された画像データの単位ごとに、エラー訂正符号生成部１３６と同じエラー訂正符号を演算する。前記演算結果と符号検出部２５３から入力されるエラー訂正符号とを比較し、比較結果が異なっている場合は、エラー訂正処理を行う。エラー訂正処理の一例としては、ＣＲＣ演算がある。
【００９０】
また、エラー検出のみを行い以降の処理でエラーを補間してもよい。エラー訂正部２５５の出力は、水平伸張部２５６、垂直伸張部２５７に供給される。水平伸張部２５６および垂直伸張部２５７は、画像送信装置１００に搭載された圧縮方式の伸張を行う伸張部であり、画像データに伸張し選択部２５８に出力する。
【００９１】
選択部２５８は、圧縮する画像データの単位ごとに、符号検出部２５３から供給される圧縮モデル符号を参照し、値が０であれば水平伸張部２５６の出力を選択し、値が１であれば、垂直伸張部２５７からの出力を選択し、選択部２６１とデータ保持部２５９と第２のラインメモリ２６０に出力する。
【００９２】
データ保持部２５９は、水平方向に連続した画像データを保持し、選択部２６１に出力する。ラインメモリ２６０は、ラインメモリ２５４と同じ機能を持ち、入力データされた画像データを1ライン遅延させた出力を選択部２６１に出力する（図１０（ｆ））。  
選択部２６１は、入力された３つの画像データのうちの一つを選択する選択部である。選択部２６１は、エラー訂正部２５５からの信号により、どのデータを選択し出力するか決定する。選択部２６１は、エラー訂正部２５５からの信号が、エラー無を示していた場合は、選択部２５８からの画像データを選択する。エラー訂正部２５５からの信号が、エラー有を示しており、且つ水平方向に圧縮されて場合は、データ保持部２５９に格納されている右隣のデータを選択し、垂直方向に演算されていた場合は、ラインメモリ２６０に格納されている1ライン前のデータを選択する（図１０（ｅ））。
【００９３】
この構成により、エラーが発生した場合においても相関性が高い画像データにおきかえることができるため、伝送エラーによる画像への影響を少なくすることができる。また圧縮する画像データの単位が十数画素であるため、置き換える画素の範囲もすくなくすむため、伝送エラーの影響をすくなくすることができる。また、圧縮伸張による処理遅延も図９（ｅ）に示すように1ラインで抑えることができる。
【００９４】
以上で説明した本実施例によれば、画像伝送装置が伝送する画像データを圧縮して伝送することにより、現在規定している伝送路に、現在規定されている画像サイズより大きなサイズの画像データを伝送することが可能になり、さらに、画像データの伝送領域よりも、エラー耐性を高めた領域にエラー検出や訂正符号を付加することによって、エラー耐性が高い画像伝送を行うことができる。
【００９５】
また、現在規定されている画像サイズの画像データを伝送する場合においては、所定時間当たりのデータ伝送量、もしくはデータ伝送クロックを下げることができるため、エラーの発生頻度を下げることができ、且つ、伝送路でのエラーに対して信頼性の高いシステムを構築することができる。
【００９６】
また、伝送路でエラーが発生して完全なエラー訂正ができない場合においても、エラーによる画質劣化が目立たないエラー処理を行うシステムを実現することができる。
【符号の説明】
【００９７】
100  画像伝送装置
101,102,103,104,130,131,150,151,170,172,201,202,220,221,250  入力部
105  チューナー受信処理部
106  ネットワーク受信処理部
107            記録メディア制御部
108            記録メディア
109,203ユーザーＩＦ
110,204  制御部
111  ストリーム制御部
112  デコーダ
113,207  表示処理部
114  圧縮処理部
115  データ伝送部
116,138,156,157,176,177,225,226,262  出力部
200            画像受信装置
205  データ受信処理部
206  伸張処理部
208            表示部
223            デシリアライザ
253            符号検出部
254,260  ラインメモリ
255  エラー訂正部
256  水平伸張部
257            垂直伸張部
259  データ保持部
300            ケーブル
132            相関性検出部
133            水平圧縮部
134            垂直圧縮部
135,252,258,261  選択部
136  エラー訂正符号生成部
137  符号化部
152            遅延部
153            エラー検出フラグ付加部
154,251タイミング生成部
173,224  ＰＬＬ
174            シリアライザ
175,222  レベル変換部
400            垂直期間
401            垂直ブランキング期間
402            垂直有効期間
403            水平期間
404            水平ブランキング期間
405            水平有効期間
406            有効期間
407            ブランキング期間
501,502,503,504  圧縮する画像データの単位
511,513,515  圧縮された画像データ
512,514  エラー訂正符号および圧縮モデル符号
【図１】
2012231351.tif 000003
【図２】
2012231351.tif 000004
【図３】
2012231351.tif 000005
【図４】
2012231351.tif 000006
【図５】
2012231351.tif 000007
【図６】
2012231351.tif 000008
【図７】
2012231351.tif 000009
【図８】
2012231351.tif 000010
【図９】
2012231351.tif 000011
【図１０】
2012231351.tif 000012